(57)【要約】【課題】複数の宝石を備える装身具において、宝石の総重量を容易に所望の重量にすることが可能な装身具を提供すること。【解決手段】装身具本体（２）と、該装身具本体（２）に連続して係止した比較的大き目の複数個の主宝石（３）と、該主宝石（３）の両端側において前記装身具本体（２）に係止した極小の粒宝石（４）とを具備し、または、装身具本体（２２）と、該装身具本体（２２）に係止した比較的大き目の複数個の主宝石（２３）と、該主宝石（２３）間において前記装身具本体（２２）に係止した極小の粒宝石（２４）とを具備したことを特徴としている。このように、本実用新案では、主宝石の他に、極小の従宝石を備えているために、宝石の総重量を所望する重量にする場合に、主宝石を調整すること無く、従宝石の重量を調整することにより、容易に所望する重量にすることが可能である。【選択図】図１
0003107031.tif 000002
【実用新案登録請求の範囲】
【請求項１】
装身具本体（２）と、
該装身具本体（２）に連続して係止した、比較的大き目の複数個の主宝石（３）と、
該主宝石（３）の両端側において前記装身具本体（２）に係止した、極小の従宝石（４）と、を具備したことを特徴とする装身具。
【請求項２】
装身具本体（２２）と、
該装身具本体（２２）に係止した、比較的大き目の複数個の主宝石（２３）と、
該主宝石（２３）間において前記装身具本体（２２）に係止した、極小の従宝石（２４）と、を具備したことを特徴とする装身具。
【考案の詳細な説明】
【技術分野】
【０００１】
本考案は複数個の宝石を備えた装身具に係り、より詳しくは、装身具本体に係止した複数個の主宝石と、この主宝石の両側又は主宝石間に極小の従宝石を備えてなる装身具に関する。
【背景技術】
【０００２】
従来から、指輪やペンダント等の装身具にダイヤ等の宝石を備える場合には、１個の大き目の宝石を備えることが一般的であった。
【０００３】
しかし、近年になり、複数個の宝石を連続して備えた装身具が提供されており、特に３個の宝石を備えた装身具はトリロジーと呼ばれておりここ数年で流行している。
【０００４】
即ち、この類の装身具では、例えば指輪の場合には、リングの外周側に、係止爪を用いて、大き目のダイヤを３個連続して係止して成り、またネックレスやイヤリング用のペンダントの場合には、ネックレスチェーン等に吊り下げることを可能とした枠体に３個のダイヤを連続して係止してなり、これにより、例えば、過去、現在、未来を表す等、３連の宝石により様々な演出を可能としている。
【考案の開示】
【考案が解決しようとする課題】
【０００５】
ところで、一般的にダイヤ等の宝石を備えた装身具の場合には、用いている宝石の重さをカラットにより表示している場合が多いが、このとき、前述した複数個の宝石を用いている装身具の場合には、表示している重さと実際の宝石の総重量とを一致させることが困難な場合がある。
【０００６】
例えば、３個の宝石を大、中、小にした場合において、大の宝石を０．５カラット、中の宝石を０．３カラット、小の宝石を０．２カラットにするとき、製造する数が少ない場合は格別、大量生産する場合には、それぞれの重さの宝石を大量に集めることは容易ではない。その一方、大量生産品の場合には、実際の総重量に合わせて表示するカラットを変更することは宣伝コスト等の面からも非現実的である。
【０００７】
そこで、本考案は、複数の宝石を備える装身具において、宝石の総重量を容易に所望の重量にすることが可能な装身具を提供することを課題としている。
【課題を解決するための手段】
【０００８】
本考案の装身具は、装身具本体と、該装身具本体に連続して係止した、比較的大き目の複数個の主宝石と、該主宝石の両端側において前記装身具本体に係止した、極小の従宝石と、を具備したことを特徴としている。
【０００９】
また、本考案の装身具は、装身具本体と、該装身具本体に係止した、比較的大き目の複数個の主宝石と、該主宝石間において前記装身具本体に係止した、極小の従宝石と、を具備したことを特徴としている。
【考案の効果】
【００１０】
本考案の装身具では、比較的大き目の複数個の主宝石と極小の従宝石とを用いて、装身具本体にこれらの宝石を係止して構成しているために、極小の従宝石の重量を調整することにより、宝石の総重量を容易に所望する重量にすることが可能である。
【考案を実施するための最良の形態】
【００１１】
本考案の装身具では、装身具本体を備えており、この装身具本体には、比較的大き目の複数個の主宝石を連続して係止している。また、主宝石の両端側において装身具本体には、極小の従宝石を係止している。
【００１２】
また、本考案の装身具では、装身具本体を備えているとともに、この装身具本体には、比較的大き目の複数個の主宝石を係止し、この主宝石間において装身具本体には、極小の従宝石を係止している。
【００１３】
なお、装身具本体としては、指等を挿入可能なリングや、チェーン等に吊り下げることが可能な枠体を用いるとよく、リングを用いることにより３個の主宝石を備えた指輪にすることが可能であり、また、枠体を用いることにより、ネックレスやイヤリングのヘッドとして用いることが可能なペンダントにすることが可能である。
【実施例１】
【００１４】
本考案の装身具の実施例について図面を参照して説明すると、図１は本実施例の装身具の正面図であり、また、図２は本実施例の装身具の底面図、図３は本実施例の装身具の斜視図であり、図において１が本実施例の装身具である。そして、図にも示されるように、本実施例の装身具１は指輪としている。
【００１５】
即ち、本実施例の指輪１では、装身具本体としてのリング２を備えており、このリングの外周側に５個のダイヤモンドを係止して構成されている。
【００１６】
ここで、前記５個のダイヤモンドについて説明すると、本実施例では、比較的大き目のダイヤモンドである３個の主宝石３と、極小の粒ダイヤモンドである２個の従宝石４により５個のダイヤモンドを構成しており、主宝石３は更に、大き目の第１のダイヤモンド３０１を１個と、この第１のダイヤモンドよりも小さめの第２のダイヤモンド３０２を２個により構成している。
【００１７】
そして、第１のダイヤモンド３０１を第２のダイヤモンド３０２で挟み込む配置で、主宝石３を連続して前記リング２に係止し、この連続して係止した主宝石３の両側に位置するように、前記粒ダイヤモンド４を前記リング２に係止している。
【００１８】
ここで、５個のダイヤモンドの係止の構造について説明すると、本実施例では、前記配置でダイヤモンドを装着可能な装着部５を、前記リング２に、その周方向に沿って形成しており、これにより前記リング２に５個のダイヤモンドを係止している。
【００１９】
即ち、前記装着部５は、ダイヤモンドを挿入可能な挿入部５０１と、この挿入部５０１内に挿入したダイヤモンドの上端部を係止可能な係止爪５０２をそれぞれ備えており、挿入部５０１内にダイヤモンドを挿入した後に、挿入部５０１内に挿入したダイヤモンドの上端部を係止爪５０２により係止することで、前記リング２にダイヤモンドを係止可能としている。
【００２０】
また、前記挿入部５０１は、主宝石３を構成する第１のダイヤモンド３０１を挿入可能な第１の挿入部５０１ａを中央に配置し、この第１の挿入部５０１ａの両側に、主宝石３を構成する２個の第２の宝石を挿入可能な第２の挿入部５０１ｂを配置し、更に、それぞれの第２の挿入部５０１ｂにおける前記第１の挿入部５０１ａと反対側に、前記粒ダイヤモンド４を挿入可能な第３の挿入部５０１ｃを配置しており、これにより、第１のダイヤモンド３０１を第２のダイヤモンド３０２で挟み込む配置で主宝石３を連続して前記リング２に係止し、この連続して係止した主宝石３の両側に位置するように、前記粒ダイヤモンド４を前記リング２に係止可能としている。
【００２１】
このように、本実施例の指輪１では、３個のダイヤモンドにより構成される主宝石３の両側に極小の粒ダイヤモンドである従宝石４を配置しているために、従宝石の重量を調整することにより、宝石の総重量を容易に所望する重量にすることが可能である。
【００２２】
なお、本実施例では、３個の主宝石を用いた場合について説明したが、主宝石の個数は必ずしも３個に限定されるものではなく、２個あるいは４個以上としてもよい。また、宝石の種類はダイヤモンドに限定されるものではなくその他の宝石を用いてもよい。更に、宝石の形状は特に限定されず、いずれの形状の宝石でもよい。更にまた、装身具本体２は必ずしもリングにする必要はなく、その他、チェーン等につり下げることが可能な枠体を用いてもよい。
【実施例２】
【００２３】
次に、本考案の第２実施例について説明すると、図４は本実施例の装身具の正面図であり、また、図５は本実施例の装身具の背面図、図６は本実施例の装身具の側面図であり、図において２１が本実施例の装身具である。そして、本実施例の装身具２１では、ネックレスやイヤリング等のヘッドとして用いられるペンダントとしている。
【００２４】
即ち、本実施例のペンダント２１では、装身具本体としての枠体２２と、この枠体２２に係止した５個のダイヤモンドにより構成されており、枠体２２に備えた環体（図示せず）にチェーンを通すことで、チェーン等に吊り下げることを可能としている。
【００２５】
ここで、前記５個のダイヤモンドについて説明すると、本実施例では、比較的大き目のダイヤモンドである３個の主宝石２３と、極小の粒ダイヤモンドである２個の従宝石２４により５個のダイヤモンドを構成しており、主宝石２３は更に、大き目の第１のダイヤモンド２３０１を１個と、この第１のダイヤモンド２３０１よりも小さめの第２のダイヤモンド２３０２を１個と、この第２のダイヤモンド２３０２よりも小さめの第３のダイヤモンド２３０３を１個により構成されている。
【００２６】
そして、従宝石２４を介在させながら、主宝石２３を、第３のダイヤモンド２３０３、第２のダイヤモンド２３０２、第１のダイヤモンド２３０１の順番で配置している。即ち、本実施例のペンダントでは、第３のダイヤモンド２３０３、粒ダイヤモンド２４、第２のダイヤモンド２３０２、粒ダイヤモンド２４、そして第１のダイヤモンド２３０１の順番で、枠体２２に５個のダイヤモンドを係止している。
【００２７】
次に、前記枠体２２について説明すると、本実施例において前記枠体２２は、５個の装着部を有しており、この装着部は、第１のダイヤモンド２３０１を装着可能な第１の装着部２２０１ａと、第２のダイヤモンド２３０２を装着可能な第２の装着部２２０１ｂと、第３のダイヤモンド２３０３を装着可能な第３の装着部２２０１ｃと、粒ダイヤモンド２４を装着可能な２個の第４の装着部２２０１ｄとにより構成され、上側から、第３の装着部２２０１ｃ、第４の装着部２２０１ｄ、第２の装着部２２０１ｂ、第４の装着部２２０１ｄ、及び第１の装着部２２０１ａの順番で連結されている。
【００２８】
そして、これらの装着部はそれぞれ、ダイヤモンドを挿入可能な挿入部２２０２を有するとともに、この挿入部２２０２内に挿入したダイヤモンドの上端部を係止可能な係止爪２２０３とを有しており、挿入部２２０２内にダイヤモンドを挿入した状態でこのダイヤモンドの上端部分を係止爪２２０３で押さえつけることにより、５個のダイヤモンドを前記順番で係止可能としている。
【００２９】
このように、本実施例の装身具２１では、３個の主宝石と２個の従宝石を、従宝石を介在させつつ主宝石を連続して配置した順番で枠体２２に係止して構成されているために、前述の第１実施例と同様に、従宝石の重量を調整することにより、宝石の総重量を容易に所望する重量にすることが可能である。
【００３０】
また、本実施例においても、主宝石の個数は必ずしも３個に限定されるものではなく、２個あるいは４個以上としてもよく、またその数に伴って従宝石の数を調整してもよい。更に、宝石の種類はダイヤモンドに限定されるものではなくその他の宝石を用いてもよく、宝石の形状も特に限定されない。更にまた、装身具本体２は必ずしも枠体にする必要はなく、その他、リングとしてもよい。
【産業上の利用可能性】
【００３１】
本考案は、複数個の宝石を備えた装身具において、主宝石の他に極小の従宝石を用いて、これにより宝石の総重量を容易に所望する重量に調節可能としているために、複数個の宝石を備えた装身具の全般に適用可能である。
【図面の簡単な説明】
【００３２】
【図１】本考案の指輪の第１実施例の正面図である。
【図２】本考案の指輪の第１実施例の底面図である。
【図３】本考案の指輪の第１実施例の斜視図である。
【図４】本考案の指輪の第２実施例の正面図である。
【図５】本考案の指輪の第２実施例の背面図である。
【図６】本考案の指輪の第２実施例の側面図である。
【符号の説明】
【００３３】
１    指輪
２    リング
３    主宝石
３０１    第１の主宝石
３０２    第２の主宝石
４    従宝石
５    装着部
５０１    挿入部
５０２    係止爪
２１    ペンダント
２２    枠体
２２０１ａ、２２０１ｂ、２２０１１ｃ、２２０１ｄ    装着部
２２０２    挿入部
２２０３    係止爪
２３    主宝石
２３０１    第１の主宝石
２３０２    第２の主宝石
２３０３    第３の主宝石
２４    従宝石
【図１】
0003107031.tif 000003
【図２】
0003107031.tif 000004
【図３】
0003107031.tif 000005
【図４】
0003107031.tif 000006
【図５】
0003107031.tif 000007
【図６】
0003107031.tif 000008